(57)【特許請求の範囲】
【請求項１】
ユーザ装置（ｕｓｅｒ  ｅｑｕｉｐｍｅｎｔ，  ＵＥ）により実行される方法であって、
前記ＵＥが通信ネットワークの第１のサービスエリアに位置するときに、前記通信ネットワークに含まれるネットワークノードのセットにおけるネットワークノードの第１のサブセットから第１の複数の通信信号を受信するステップであり、前記第１の複数の通信信号の各通信信号は、前記通信ネットワークにおける複数の空間ドメインレイヤのそれぞれに関連するステップと、
前記第１の複数の通信信号のレイヤベースの復号化のために、前記ＵＥにおいて利用可能な候補復号化パラメータのセットから第１の復号化パラメータを識別するステップと、
前記第１の復号化パラメータを使用して、前記第１の複数の通信信号を復号化するステップと、
前記ＵＥが前記第１のサービスエリアから第２のサービスエリアに移動した後に、ネットワークノードの前記セットにおけるネットワークノードの第２のサブセットから第２の複数の通信信号を受信するステップであり、前記第２の複数の通信信号の各通信信号は、前記複数の空間ドメインレイヤのそれぞれに関連し、ネットワークノードの前記第２のサブセットは、ネットワークノードの前記第１のサブセットにない少なくとも１つのネットワークノードを含むステップと、
前記第２の複数の通信信号のレイヤベースの復号化のために、前記ＵＥにおいて利用可能な候補復号化パラメータの前記セットから第２の復号化パラメータを識別するステップと、
前記第２の復号化パラメータを使用して、前記受信した第２の複数の通信信号を復号化するステップと
を含む方法。
【請求項２】
前記第１の復号化パラメータを識別する情報及び前記第２の復号化パラメータを識別する情報を受信するステップを更に含む、請求項１に記載の方法。
【請求項３】
前記第１の復号化パラメータは、ネットワークノードの前記第１のサブセットに割り当てられた空間ドメインレイヤのための復号化パラメータを含み、前記第２の復号化パラメータは、ネットワークノードの前記第２のサブセットに割り当てられた空間ドメインレイヤのための復号化パラメータを含む、請求項１又は２に記載の方法。
【請求項４】
前記第１及び第２の復号化パラメータは、前記複数の空間ドメインレイヤに関連するそれぞれのマルチプル・インプット・マルチプル・アウトプット（Ｍｕｌｔｉｐｌｅ  Ｉｎｐｕｔ  Ｍｕｌｔｉｐｌｅ  Ｏｕｔｐｕｔ，  ＭＩＭＯ）レイヤを含む、請求項１乃至３のうちいずれか１項に記載の方法。
【請求項５】
復号化することは、逐次干渉除去（Ｓｕｃｃｅｓｓｉｖｅ  Ｉｎｔｅｒｆｅｒｅｎｃｅ  Ｃａｎｃｅｌｌａｔｉｏｎ，  ＳＩＣ）、メッセージ伝搬アルゴリズム（Ｍｅｓｓａｇｅ  Ｐａｓｓｉｎｇ  Ａｌｇｏｒｉｔｈｍ，  ＭＰＡ）、ジョイント検出、最尤検出（Ｍａｘｉｍｕｍ  Ｌｉｋｅｌｉｈｏｏｄ  Ｄｅｔｅｃｔｉｏｎ，  ＭＬＤ）及びマルチプル・インプット・マルチプル・アウトプット（Ｍｕｌｔｉｐｌｅ  Ｉｎｐｕｔ  Ｍｕｌｔｉｐｌｅ  Ｏｕｔｐｕｔ，  ＭＩＭＯ）のうちいずれか１つ以上を使用することを含む、請求項１乃至４のうちいずれか１項に記載の方法。
【請求項６】
前記空間ドメインレイヤは、レイヤの複数の階層を含み、復号化することは、第２の階層の空間ドメインレイヤに関連する通信信号を復号化する前に、第１の階層の空間ドメインレイヤに関連する１つ以上の通信信号を復号化することを含む、請求項１乃至５のうちいずれか１項に記載の方法。
【請求項７】
前記第１の復号化パラメータのうちどれが前記第１の複数の通信信号を復号化するために使用されたかの指示を、ネットワークノードの前記第１のサブセットの前記ネットワークノードのうち１つに送信するステップと、
前記第２の復号化パラメータのうちどれが前記第２の複数の通信信号を復号化するために使用されたかの指示を、ネットワークノードの前記第２のサブセットの前記ネットワークノードのうち１つに送信するステップと
のうち一方又は双方を更に含む、請求項１乃至６のうちいずれか１項に記載の方法。
【請求項８】
前記第１及び第２の復号化パラメータは同じである、請求項１乃至７のうちいずれか１項に記載の方法。
【請求項９】
プロセッサと、
前記プロセッサにより実行されたときに、前記プロセッサに対して請求項１乃至８のうちいずれか１項に記載の方法におけるステップを実現させる命令を記憶した非一時的なプロセッサ読み取り可能媒体と
を含むユーザ装置（ｕｓｅｒ  ｅｑｕｉｐｍｅｎｔ，  ＵＥ）。
【請求項１０】
請求項１乃至８のうちいずれか１項に記載の方法をコンピュータに実行させるプログラム。
【発明の詳細な説明】
【技術分野】
【０００１】
［関連出願への相互参照］
本出願は、２０１６年３月１８日に出願された「Ｍｏｂｉｌｉｔｙ  Ｈａｎｄｌｉｎｇ  Ｉｎ  Ｕｌｔｒａ  Ｄｅｎｓｅ  Ｎｅｔｗｏｒｋｓ」という名称の米国特許出願第１５／０７３，７８８号の優先権を主張し、これは、２０１５年１２月２２日に出願された「Ｍｏｂｉｌｉｔｙ  Ｈａｎｄｌｉｎｇ  Ｉｎ  Ｕｌｔｒａ  Ｄｅｎｓｅ  Ｎｅｔｗｏｒｋｓ」という名称の米国仮特許出願第６２／２７０，７３４号の優先権を主張しており、これらの全内容を参照により援用する。
【０００２】
［技術分野］
本開示は、概して超高密度ネットワーク（Ｕｌｔｒａ  Ｄｅｎｓｅ  Ｎｅｔｗｏｒｋ，  ＵＤＮ）に関し、特に、ＵＤＮにおけるモビリティ処理に関する。
【背景技術】
【０００３】
ＵＤＮでは、ユーザ装置（ｕｓｅｒ  ｅｑｕｉｐｍｅｎｔ，  ＵＥ）に無線通信サービスを提供するネットワークノードは、より低密度の「マクロ」ネットワーク内よりも互いに近くに位置する。したがって、ＵＥは、より低密度のネットワークにおけるサービスエリアの間の遷移のための距離と比較して、より小さい距離を移動したときに、異なるネットワークエリアのサービスエリアの間を遷移する可能性がある。ＵＥによるサービスエリアの遷移は、ＵＤＮにおいてより頻繁に発生する可能性がある。
【０００４】
現在のロングタームエボリューション（Ｌｏｎｇ  Ｔｅｒｍ  Ｅｖｏｌｕｔｉｏｎ，  ＬＴＥ）は、サービスエリアの間のＵＥのモビリティをサポートするために、ネットワークノードの間のハンドオーバに依存する。特に頻繁なサービスエリアの遷移が想定され得るＵＤＮのようなネットワークでは、ＵＥがサービスエリアの間を遷移する毎にハンドオーバ処理するのを回避することが望ましい可能性がある。
【発明の概要】
【０００５】
本開示の一態様によれば、ＵＥにより実行される方法は、ＵＥが通信ネットワークの第１のサービスエリアに位置するときに、ネットワークノードの第１のサブセットから第１の複数の通信信号を受信するステップであり、第１の複数の通信信号の各通信信号は、通信ネットワークにおける複数の通信信号レイヤのそれぞれに関連するステップと、第１の複数の通信信号のレイヤベースの復号化のために、ＵＥにおいて利用可能な通信信号レイヤ復号化パラメータのセットから第１の候補通信信号レイヤ復号化パラメータを識別するステップと、第１の候補通信信号レイヤ復号化パラメータを使用して、レイヤベースの復号化を第１の複数の通信信号に適用するステップと、ＵＥが第２のサービスエリアに移動した後に、ネットワークノードの第２のサブセットから第２の複数の通信信号を受信するステップであり、第２の複数の通信信号の各通信信号は、複数の通信信号レイヤのそれぞれに関連し、ネットワークノードの第２のサブセットは、ネットワークノードの第１のサブセットにない少なくとも１つのネットワークノードを含むステップと、第２の複数の通信信号のレイヤベースの復号化のために、ＵＥにおいて利用可能な通信信号レイヤ復号化パラメータのセットから第２の候補通信信号レイヤ復号化パラメータを識別するステップと、第２の候補通信信号レイヤ復号化パラメータを使用して、レイヤベースの復号化を受信した第２の複数の通信信号に適用するステップとを含む。
【０００６】
本開示の他の態様によるＵＥは、ＵＥが通信ネットワークの第１のサービスエリアに位置するときに、ネットワークノードの第１のサブセットから第１の複数の通信信号を受信する受信機であり、第１の複数の通信信号の各通信信号は、通信ネットワークにおける複数の通信信号レイヤのそれぞれに関連する受信機と、受信機に結合されており、第１の複数の通信信号のレイヤベースの復号化のために、ＵＥにおいて利用可能な通信信号レイヤ復号化パラメータのセットから第１の候補通信信号レイヤ復号化パラメータを識別し、第１の候補通信信号レイヤ復号化パラメータを使用して、レイヤベースの復号化を第１の複数の通信信号に適用する信号デコーダとを含む。受信機は、ＵＥが第２のサービスエリアに移動した後に、ネットワークノードの第２のサブセットから第２の複数の通信信号を受信するように更に構成され、第２の複数の通信信号の各通信信号は、複数の通信信号レイヤのそれぞれに関連し、ネットワークノードの第２のサブセットは、ネットワークノードの第１のサブセットにない少なくとも１つのネットワークノードを含む。信号デコーダは、第２の複数の通信信号のレイヤベースの復号化のために、ＵＥにおいて利用可能な通信信号レイヤ復号化パラメータのセットから第２の候補通信信号レイヤ復号化パラメータを識別し、第２の候補通信信号レイヤ復号化パラメータを使用して、レイヤベースの復号化を受信した第２の複数の通信信号に適用するように更に構成される。
【０００７】
本開示の更なる態様によれば、方法は、通信ネットワークにおける通信信号レイヤに関連する通信信号のための復号化パラメータを使用してユーザ装置（ｕｓｅｒ  ｅｑｕｉｐｍｅｎｔ，  ＵＥ）により復号化可能な第１の通信信号を送信するように、通信ネットワークにおけるネットワークノードの第１のサブセットを構成するステップであり、第１の通信信号のそれぞれは、複数の通信信号レイヤのそれぞれに関連するステップと、復号化パラメータを使用してＵＥにより復号化可能な第２の通信信号を送信するように、通信ネットワークにおけるネットワークノードの第２のサブセットを構成するステップであり、ネットワークノードの第２のサブセットは、ネットワークノードの第１のサブセットにない少なくとも１つのネットワークノードを含み、第２の通信信号のそれぞれは、複数の通信信号レイヤのそれぞれに関連するステップとを含む。
【０００８】
本開示の他の態様は、復号化パラメータを使用してＵＥにより復号化可能な第１の通信信号を送信するように、通信ネットワークにおけるネットワークノードの第１のサブセットを構成し、第１の通信信号のそれぞれは、複数の通信信号レイヤのそれぞれに関連し、復号化パラメータを使用してＵＥにより復号化可能な第２の通信信号を送信するように、通信ネットワークにおけるネットワークノードの第２のサブセットを構成し、ネットワークノードの第２のサブセットは、ネットワークノードの第１のサブセットにない少なくとも１つのネットワークノードを含み、第２の通信信号のそれぞれは、複数の通信信号レイヤのそれぞれに関連する協調コントローラを含む装置に関する。装置はまた、協調コントローラに結合されており、ネットワークノードと通信する協調インタフェースを含む。
【０００９】
本開示の実施例の他の態様及び特徴は、以下の説明を検討することで、当業者に明らかになる。
【図面の簡単な説明】
【００１０】
本発明の実施例について、添付図面を参照して更に詳細に説明する。
【図１】一実施例による通信ネットワークを示すブロック図である。
【図２】ＵＥの通信信号レイヤの割り当て及びモビリティを示すブロック図である。
【図３】ネットワークノードの通信信号レイヤの割り当て及びモビリティを示すブロック図である。
【図４】実施例による方法のフローチャートである。
【図５】実施例によるＵＥを示すブロック図である。
【図６】他の実施例による方法のフローチャートである。
【図７】実施例による集中処理システムを示すブロック図である。
【図８】実施例によるネットワークノードを示すブロック図である。
【発明を実施するための形態】
【００１１】
次に、例示目的のため、具体的な例示的な実施例について、図面と共に以下に更に詳細に説明する。
【００１２】
ここに示す実施例は、特許請求の範囲の対象物を実施し且つこのような対象物を実施する最善の方法を示すのに十分な情報になる。添付図面を鑑みて以下の説明を読むことで、当業者は、特許請求の範囲の対象物の概念を理解し、特にここには書かれていないこれらの概念の適用を認識する。これらの概念及び適用は、開示及び特許請求の範囲の範囲内に入ることが理解されるべきである。
【００１３】
さらに、命令を実行する、ここに開示されたいずれかのモジュール、コンポーネント又はデバイスは、コンピュータ／プロセッサ読み取り可能命令、データ構造、プログラムモジュール及び／又は他のデータのような情報の記憶のために、１つ又は複数の非一時的なコンピュータ／プロセッサ読み取り可能記憶媒体を含んでもよく、或いはこれらにアクセスしてもよい。非一時的なコンピュータ／プロセッサ読み取り可能媒体の例の非網羅的なリストは、磁気カセット、磁気テープ、磁気ディスクストレージ若しくは他の磁気記憶デバイス、コンパクトディスク読み取り専用メモリ（ｃｏｍｐａｃｔ  ｄｉｓｃ  ｒｅａｄ−ｏｎｌｙ  ｍｅｍｏｒｙ，  ＣＤ−ＲＯＭ）、デジタルビデオディスク若しくはデジタル多用途ディスク（すなわち、ＤＶＤ）、ブルーレイディスク（登録商標）のような光ディスク若しくは他の光ストレージ、いずれかの方法若しくは技術で実現された揮発性及び不揮発性、取り外し可能及び取り外し不可能媒体、ランダムアクセスメモリ（ｒａｎｄｏｍ−ａｃｃｅｓｓ  ｍｅｍｏｒｙ，  ＲＡＭ）、読み取り専用メモリ（ｒｅａｄ−ｏｎｌｙ  ｍｅｍｏｒｙ，  ＲＯＭ）、電気的消去可能プログラム可能読み取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ，  ＥＥＰＲＯＭ）、フラッシュメモリ、又は他のメモリ技術を含む。いずれかのこのような非一時的なコンピュータ／プロセッサ記憶媒体は、デバイスの一部でもよく、或いはそれにアクセス可能又は接続可能でもよい。ここに記載のアプリケーション又はモジュールを実現するためのコンピュータ／プロセッサ読み取り可能／実行可能命令は、このような非一時的なコンピュータ／プロセッサ記憶媒体により記憶されてもよく、或いは保持されてもよい。
【００１４】
次に、図面を参照して、いくつかの具体的な例示的な実施例について説明する。
【００１５】
図１は、一実施例による通信ネットワークを示す図である。通信ネットワーク１００は、コアネットワーク１０２と、アクセスネットワーク１０６とを含む。
【００１６】
コアネットワーク１０２は、呼制御／スイッチング及び他のネットワークへのゲートウェイのような様々なサービスのいずれかを提供してもよい。コアネットワーク１０２は、ルータ、スイッチ及びサーバのようなネットワークコンポーネントを含む。
【００１７】
アクセスネットワーク１０６は、ＵＤＮであり、コアネットワーク１０２に接続又は結合される。ＵＤＮ用語において送信ポイント又はＴＰとも呼ばれてもよいネットワークノード１０８ａ、１０８ｂ、１０８ｃ、１０８ｄ、１０８ｅは、それぞれの無線カバレッジエリア１１０ａ、１１０ｂ、１１０ｃ、１１０ｄ、１１０ｅ内で無線通信サービスを提供する。各ネットワークノード１０８ａ−ｅは、無線トランシーバと、１つ以上のアンテナと、アンテナ無線周波数（ｒａｄｉｏ  ｆｒｅｑｕｅｎｃｙ，  ＲＦ）回路、アナログ・デジタル／デジタル・アナログ変換器等のような関連する処理回路とを使用して実現されてもよい。
【００１８】
ＵＥ１０４ａ、１０４ｂ、１０４ｃ、１０４ｄは、アクセスネットワーク１０６を使用して通信ネットワーク１００に無線でアクセスする。各ＵＥ１０４ａ−ｄは、無線トランシーバと、１つ以上のアンテナと、アンテナ無線周波数（ｒａｄｉｏ  ｆｒｅｑｕｅｎｃｙ，  ＲＦ）回路、アナログ・デジタル／デジタル・アナログ変換器等のような関連する処理回路とを含む。ネットワークノード１０８ａ−ｅ及びＵＥ１０４ａ−ｄは、通信ネットワーク１００における互いとの通信をサポートするために同様の種類のコンポーネントを含んでもよいが、実際の実現方式は異なってもよい。例えば、ＵＥ１０４ａ−ｄは、位置の間で移動式であるが、ネットワークノード１０８ａ−ｅは、典型的には固定の位置に設置されることを意図するものである。
【００１９】
ネットワークノード１０８ａ−ｅは、それぞれの通信リンク１１２ａ、１１２ｂ、１１２ｃ、１１２ｄ、１１２ｅを介して、アクセスネットワーク１０６内の集中処理システム１２０に接続される。一実施例では、各通信リンク１１２ａ−ｅは、ファイバ通信リンクである。各ネットワークノード１０８ａ−ｅは、そのそれぞれの通信リンク１１２ａ−ｅを介して、データを集中処理システム１２０に送信し且つ集中処理システムからデータを受信するための回路を含む。図１には単一の集中処理システムとして示されているが、集中処理システム１２０は、１つ以上の処理及び制御サーバのネットワークにより実現されてもよい。或いは、集中処理システム１２０は、単一のサーバとして実現されてもよい。
【００２０】
ネットワークノード１０８ａ−ｅは、アクセスネットワーク１０６の有線及び無線部分の間のゲートウェイとして機能してもよいが、これは、通信リンク１１２ａ−ｅが無線リンクである実施例の場合には、そうである必要はない。ネットワークノードは、ネットワークプロバイダにより固定の位置に、例えば、連続的な無線カバレッジエリアを提供するために戦略的に配置されてもよい。これは、無線カバレッジエリア１１０ａ−ｅが互いに重複し、それにより、ＵＥ１０４ａ−ｅが無線カバレッジエリアを移動して、依然としてアクセスネットワーク１０６によりサービス提供され得るという点で、図１に示されている。アクセスネットワーク１０６における異なる位置では、ネットワークノード１０８ａ−ｅの異なるサブセットが無線通信サービスを提供する。
【００２１】
ＵＥ１０４ａ−ｄの現在の位置の場合のように、アクセスネットワーク１０６内のいくつかのサービスエリアは、単一のネットワークノードにより提供される。しかし、無線カバレッジエリア１１０ａ−ｅはまた、互いに重複する。ＵＥは、複数のネットワークノードからの重複するカバレッジを有するサービスエリアに位置するときに、これらのネットワークノードから通信信号にさらされる。したがって、サービスエリア内で通信サービスを提供するネットワークノードのサブセットは、１つ以上のネットワークノードを含んでもよい。
【００２２】
アクセスネットワーク１０６のようなＵＤＮでは、ネットワークノード１０８ａ−ｅは、他の種類の通信ネットワーク内よりも互いに近くに位置する。したがって、ＵＥは、互いに離れて位置しており、より大きい無線カバレッジエリアを有するより少ないネットワークノードが存在する通信ネットワーク内よりも、小さい距離を移動した結果としてサービスエリアを変更する可能性がある。例えば、図１の左から右に移動するときに、ＵＥ１０４ａは、以下のように異なるサービスエリアを遷移し得る。
【００２３】
ネットワークノード１０８ａによりサービス提供されるサービスエリアから、ネットワークノード１０８ａ、１０８ｄにより（無線カバレッジエリア１１０ａ、１１０ｄの重複領域内の位置において）サービス提供されるサービスエリア
ネットワークノード１０８ａ、１０８ｄによりサービス提供されるサービスエリアから、ネットワークノード１０８ａ、１０８ｄ、１０８ｂにより（無線カバレッジエリア１１０ａ、１１０ｄ、１１０ｂの重複領域内の位置において）サービス提供されるサービスエリア
ネットワークノード１０８ａ、１０８ｄ、１０８ｂによりサービス提供されるサービスエリアから、ネットワークノード１０８ｂによりサービス提供されるサービスエリア
ネットワークノード１０８ａ−ｅの１つ以上を含む異なるサブセットが通信サービスを提供する異なるサービスエリアを通じて、以下同様である。
【００２４】
ＵＤＮでは、これらのサービスエリアの遷移は、例えば、数百メートルのみを移動するＵＥについて全て発生し得る。現在のＬＴＥシステム及び他の通信ネットワークにおいてＵＥのモビリティをサポートするために使用されるハンドオーバ処理は、サービスエリアの遷移がこのような短距離で発生し且つ頻繁であることが想定されるときに、通信及び処理リソースに対してかなりの負荷になり得る。
【００２５】
本開示は、ＵＤＮにおけるモビリティに対して通信信号「レイヤ」手法を提案する。逐次干渉除去（Ｓｕｃｃｅｓｓｉｖｅ  Ｉｎｔｅｒｆｅｒｅｎｃｅ  Ｃａｎｃｅｌｌａｔｉｏｎ，  ＳＩＣ）、メッセージ伝搬アルゴリズム（Ｍｅｓｓａｇｅ  Ｐａｓｓｉｎｇ  Ａｌｇｏｒｉｔｈｍ，  ＭＰＡ）又は最尤検出（Ｍａｘｉｍｕｍ  Ｌｉｋｅｌｉｈｏｏｄ  Ｄｅｔｅｃｔｉｏｎ，  ＭＬＤ）のようなジョイント検出及び復号化方法は、ＵＥが、複数のネットワークノードから受信し得る複数のレイヤに関連する通信信号をまとめて受信して復号化することを可能にする。
【００２６】
ネットワークノードとＵＥとの関連付けは、ここに開示されるように動的に適用されてもよい。実施例では、複数のネットワークノードから生じ得る複数のレイヤは或るＵＥに関連する。ＵＥが移動すると、ネットワークノードの異なるサブセットがＵＥにサービス提供する役目を負う。サービスエリアの遷移は、トランスペアレントなレイヤとネットワークノードとの関連付け及び／又はトランスペアレントな「アクティブな」ネットワークノードのサブセットを用いて、ＵＥにとってトランスペアレントとすることができる。
【００２７】
ここでは単に「レイヤ」とも呼ばれる通信信号レイヤは、例えば、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，  ＯＦＤＭ）ドメイン、それぞれのコードブックを使用した符号ドメイン及び／又は空間ドメインにおいて、それぞれのデータストリームを含んでもよい。符号ドメインでは、異なるレイヤに関連する通信信号は、異なるコードブックを使用して符号化される。一実施例では、入来ビットは、スパースコード多元接続（Ｓｐａｒｓｅ  Ｃｏｄｅ  Ｍｕｌｔｉｐｌｅ  Ａｃｃｅｓｓ，  ＳＣＭＡ）としても知られ得る手法で、予め規定されたコードブックセットから選択されたスパース（ｓｐａｒｓｅ）の多次元の複素コードワードにマッピングされる。空間ドメインのレイヤは、例えば、マルチプル・インプット・マルチプル・アウトプット（Ｍｕｌｔｉｐｌｅ  Ｉｎｐｕｔ  Ｍｕｌｔｉｐｌｅ  Ｏｕｔｐｕｔ，  ＭＩＭＯ）システムにおけるレイヤでもよい。
【００２８】
レイヤは、ＵＥ又はネットワークノードに割り当てられてもよい。これらの選択肢の双方について以下に詳細に説明する。以下の詳細な説明は、符号ドメインのレイヤを参照するが、他の種類のレイヤも可能である。
【００２９】
ＵＥのレイヤの割り当て手法では、１つ以上のレイヤが提供され、ＵＥに割り当てられる。この手法は、例えば、各ＵＥへの少なくとも１つのレイヤの割り当てのために十分なレイヤ数が利用可能である軽負荷のネットワークにおいてより適切になり得る。図２は、ＵＥのレイヤの割り当て及びモビリティを示すブロック図である。
【００３０】
図面における混雑を回避するために、図２は、図１に示す集中処理システム又はコアネットワークなしに、ＵＤＮ２００のネットワークノード２０８ａ、２０８ｂ、２０８ｃ、２０８ｄ、２０８ｅ、２０８ｆのみを示している。ＵＥの異なる位置は、２０４Ａ、２０４Ｂ、２０４Ｃで示されており、Ａ、Ｂ、Ｃのラベルは、異なるＵＥではなく、同じＵＥの異なる位置を示すことを意図するものである。ＵＥの移動は、２２０、２２２で示されている。３つのレイヤが２３０Ａ、２３０Ｂ、２３０Ｃ、２３２Ａ、２３２Ｂ、２３２Ｃ、２３４Ａ、２３４Ｂ、２３４Ｃで表されており、数字２３０、２３２、２３４は、３つの異なるレイヤを示し、Ａ、Ｂ、Ｃのラベルは、ＵＥがそれぞれ２０４Ａ、２０４Ｂ、２０４Ｃに示す位置のそれぞれにあるときに受信される信号を示す。ネットワークノード２０８ｆは、図２においてモビリティの例に関与しないが、ＵＥが通信ネットワーク内のサービスエリアの間を移動するときに、通信ネットワーク２００がＵＥにサービスを提供するネットワークノードのサブセットのいずれにも属さない更なるネットワークノードを含んでもよいことを示すために示されている。
【００３１】
ＵＥは、各位置２０４Ａ、２０４Ｂ、２０４Ｃにおいて複数の通信信号にさらされる。例えば、位置２０４Ａにおいて、ＵＥは、レイヤ２３０Ａ、２３２Ａ、２３４Ａにそれぞれ関連する通信信号を受信する。この例では、３つのレイヤ２３０Ａ、２３２Ａ、２３４Ａにより搬送される信号は、３つの異なるネットワークノード２０８ａ、２０８ｂ、２０８ｃからＵＥにより受信されるが、他の実施例では、複数のレイヤは、単一のネットワークノードから生じてもよい。
【００３２】
他のＵＥにサービス提供する際にネットワークノードにより引き起こされる干渉は、通信システム２００における限定要因ではない。例えば、位置２０４ＡにおけるＵＥは、レイヤ２３０Ａ、２３２Ａ、２３４Ａに関連する通信信号を受信し、レイヤベースの復号化を適用する。符号ドメインのレイヤでは、ＵＥは、対応するパイロットパターンを有するコードブックのセットを受信する。例えば、異なるレイヤのコードブックは、図１の１２０で示す集中処理システムによりＵＥに割り当てられて分配されてもよい。いくつかの実施例では、複数のレイヤは、同じパイロットのセットを共有し、同じ物理／論理アンテナポートから生じてもよい。
【００３３】
ＵＥは、異なるレイヤのそれぞれに関連するチャネル又は通信信号を推定し、ＵＥに関連するデータをまとめて復号化することを試みる。符号ドメインのレイヤでは、ＵＥは、２０４Ａに位置するときに、受信した通信信号を復号化するためにレイヤコードブックを使用し、それに割り当てられていないいずれかのレイヤに関連する通信信号を破棄してもよい。
【００３４】
ＵＥが移動すると、ＵＥにサービスを提供し得るネットワークノードを含む「潜在的な」ネットワークノードのサブセットが変化し得る。潜在的なネットワークノードのサブセットは、上りリンク（ｕｐｌｉｎｋ，  ＵＬ）レシプロシティ（ｒｅｃｉｐｒｏｃｉｔｙ）、トラッキングチャネル、ユーザフィードバック、位置サービス等のうち１つ以上を使用して更新されてもよい。２００で表されるように、位置２０４Ａから位置２０４ＢへのＵＥの移動は、例えば、図１の１２０で示す集中処理システムにより検出されてもよい。次に、潜在的なネットワークノードのサブセットは、ＵＥが現在位置するサービスエリア内で通信サービスを提供するネットワークノード２０８ｂ、２０８ｃ、２０８ｄを含む。この潜在的なネットワークノードのサブセットは、２０４ＢにおけるＵＥの現在の位置に基づいて決定される。同様に、これは、集中処理システムにより処理されてもよく、集中処理システムはまた、ＵＥのための潜在的なネットワークノードのサブセットの一部であることをネットワークノード２０８ｄにアドバタイズしてもよい。ネットワークノード２０８ａも同様に、集中処理システム又は通信ネットワーク２００内の他のコンポーネントにより、もはやＵＥにサービスを提供するサブセットの一部ではないことをアドバタイズされてもよい。
【００３５】
ＵＥが２０４Ｂにあるときに、レイヤ２３０の役目をするものはネットワークノード２０８ｄである。図２の２３０Ａ及び２３０Ｂは、同じレイヤを表す。したがって、このレイヤは、移動したときにＵＥに続いて、ネットワークノード２０８ａからネットワークノード２０８ｄに移行されたと考えられてもよい。ＵＥは、現在のネットワークノードのレイヤの関連付けを認識しなくてもよい。ＵＥの観点から、同じレイヤに関連する通信信号は、位置２０４Ａ及び２０４Ｂにおいて受信され、ＵＥは、レイヤの１つがネットワークノード２０８ａからネットワークノード２０８ｄに移動したことを必ずしも認識する必要はない。ＵＥに関する限り、位置２０４Ａにあれ位置２０４Ｂにあれ、例えば、符号ドメインのレイヤの実現において同じコードブックを使用して、同じレイヤに関連する通信信号を復号化している。異なるネットワークノードの間のこの種類のレイヤ遷移は、ＵＥにとってトランスペアレントでもよいが、その代わりに、他の実施例では、ＵＥ及び／又はネットワークノードにより承諾されてもよい。
【００３６】
通信及びレイヤの同じ一貫性は、２２２で表される、位置２０４Ｂから位置２０４ＣへのＵＥの移動にも当てはまる。この場合、レイヤ２３４は、２３４Ｃに示すように、ネットワークノード２０８ｂからネットワークノード２０８ｅに移動する。
【００３７】
このようなＵＥのレイヤの割り当て及び異なるネットワークの間のレイヤの遷移は、ＵＥがサービスエリアの間を移動したときに潜在的なネットワークノードのサブセットが変化する毎に、明示的なハンドオーバ処理を必要とすることのないモビリティをサポートするために使用されてもよい。
【００３８】
ＵＥのレイヤの割り当てを用いたとしても、コードブックは更新されてもよい。ＵＥのコードブックは、例えば、図１の１２０で示す集中処理システムにより周期的に更新されて分配されてもよい。したがって、コードブック及びコードブック割り振りは、どのくらいの頻度でコードブックの更新が行われるかに依存して、動的又は半静的であると考えられてもよい。しかし、このようなコードブックの更新は、ここで概説するレイヤ遷移処理の一部として必ずしも実行されるとは限らない。コードブックの更新が発生する前にＵＥがサービスエリアの間を移動し、ＵＥが異なるサービスエリアに移動した後にレイヤが同じままである場合に、ＵＥは、現在のアクティブ又は潜在的なネットワークノードのサブセット内の特定のネットワークノードに拘わらず、その割り当てられたレイヤについて同じコードブックを使用してもよい。
【００３９】
ＵＥが異なるサービスエリアの間を移動したときに、レイヤは必ずしも同じままである必要はない。例えば、ＵＥが異なるサービスエリアに移動したときに、レイヤは異なるネットワークノードに移行されなくてもよく、その場合、そのレイヤは、或る期間にレイヤのアクティブなセットに存在しない。その代わりに、レイヤは、完全に削除されるか、或いは異なるＵＥに再割り当てされ、ＵＥがサービスエリアの間を移動したときに異なるネットワークノードに移動しなくてもよい。例えば、異なるレイヤがＵＥに割り当てられるか、或いは複数のレイヤがＵＥに割り当てられてレイヤが削除された後に１つ以上のレイヤがＵＥに割り当てられたままである実施例では、レイヤは、削除又は再割り当てされてもよい。
【００４０】
他の通信特性も同様に、動的又は半静的でもよい。例えば、前方誤り訂正（Ｆｏｒｗａｒｄ  Ｅｒｒｏｒ  Ｃｏｒｒｅｃｔｉｏｎ，  ＦＥＣ）符号化率及び／又はＵＥに割り当てられる実際のレイヤ数のような特性は、各下りリンク（ｄｏｗｎｌｉｎｋ，  ＤＬ）許可のときのように頻繁に更新されてもよい。
【００４１】
ＵＥは、その現在の位置においてアクティブであるレイヤを決定するために、ブラインド検出を実行してもよい。ブラインド検出は、どのリソースが使用されているかを示すための送信機からのシグナリングのような事前の知識なしに、受信信号の特性に基づいてリソースを識別することに関する。ブラインド検出の実現方式では、ＵＥは、通信信号を復号化できるレイヤを決定することにより、アクティブなレイヤのセットをブラインドで検出する。その代わりに、ＵＥは、例えば、無線リソースの許可の一部として、１つ以上のネットワークノードによりアクティブなレイヤを通知されてもよい。これらの手法のいずれかは、分散型スケジューリングを提供してもよく、各ノードがＵＥにサービス提供するか否かを判断する。
【００４２】
ＵＥのレイヤの割り当てシステムのための他の選択肢は、垂直又は水平符号化を含む。例えば、同期ネットワークでは、垂直符号化は、全てのレイヤに同じＦＥＣブロックを利用し、いくつかのデータ共有を伴ってもよい。
【００４３】
いくつかの実施例は、レイヤ「貸出」をサポートしてもよい。例えば、集中処理しシステムは、他のＵＥにサービス提供するために、１つ又は複数のネットワークノードからのＵＥのコードブックを使用する判断を行ってもよい。この場合、ＵＥは、全てのネットワークノードから全てのレイヤに関連する通信信号をまとめて復号化するが、自分のデータのみを保持して他のＵＥを意図したデータを破棄してもよい。
【００４４】
図２及び前述の説明は、ＵＥのレイヤの割り当てに関する。ネットワークノードのレイヤの割り当ても可能である。ネットワークノードのレイヤの割り当て解決策は、例えば、ネットワーク負荷が高く及び／又はＵＥ数が利用可能なレイヤ数より大きいシナリオにより適し得る。図３は、ネットワークノードのレイヤの割り当て及びモビリティを示すブロック図である。
【００４５】
図２と同様に、図３は、ＵＤＮ３００のネットワークノード３０８ａ、３０８ｂ、３０８ｃ、３０８ｄ、３０８ｅ、３０８ｆのみを示しており、ＵＥの異なる位置は、３０４Ａ、３０４Ｂ、３０４Ｃで示されており、ＵＥの移動は、３２０、３２２で示されている。しかし、図３のレイヤ３３０、３３２Ａ、３３２Ｂ、３３２Ｃ、３３４Ａ、３３４Ｂ、３３６Ａ、３３６Ｂ、３３８は、ＵＥの代わりにネットワークノード３０８ａ、３０８ｂ、３０８ｃ、３０８ｄ、３０８ｅに割り当てられる。
【００４６】
図３では、各ネットワークノード３０８ａ、３０８ｂ、３０８ｃ、３０８ｄ、３０８ｅは、１つ以上のレイヤを割り振られる。１つ以上のレイヤはまた、ネットワークノード３０８ｆにも割り当てられてもよいが、この例ではネットワークノード３０８ｆはＵＥにサービスを提供することに関与しないため、図３には示されていない。
【００４７】
符号ドメインのレイヤのシステムでは、ＵＥの近くのノードに割り当てられたレイヤについて、可能なコードブック及びパイロットのリストは、ＵＥに分配される。利用可能なコードブック及びパイロットのこのようなリストは、ＵＥがレイヤベースの復号化を受信した通信信号に適用する際に使用する候補復号化パラメータの例である。候補復号化パラメータのリストは、ＵＥが現在位置するサービスエリア内でアクティブであるレイヤのためだけでなく、現在のサービスエリアに隣接するサービスエリアのような異なるサービスエリア内でアクティブになり得るレイヤのための復号化パラメータを識別する情報を含んでもよい。この例では、ＵＥがサービスエリアから隣接するサービスエリアに移動したときに、ＵＥは、受信した通信信号を復号化することを試みるために、同じ候補復号化パラメータを使用してもよい。
【００４８】
同じネットワークノードのためのレイヤは、同じパイロットパターンを共有してもよい。ＦＥＣ符号化率及び場合によっては他の関係する情報もまた、ＵＥに通信されてもよい。この情報は、ブロードキャスト又はユニキャストシグナリングを通じて、或いはＵＥに事前に認識されるようにネットワーク３００内で標準化されることにより、明示的にＵＥに認識されてもよい。
【００４９】
各位置３０４Ａ、３０４Ｂ、３０４Ｃにおいて、ＵＥは、複数の信号にさらされる。各通信信号は、異なるレイヤに関連し、図３において異なるネットワークノードから受信される。例えば、位置３０４Ａにおいて、ＵＥは、ネットワークノード３０８ａ、３０８ｂ、３０８ｃからレイヤ３３０Ａ、３３２Ａ、３３４Ａにそれぞれ関連する通信信号を受信する。
【００５０】
ＵＥは、候補コードブックを使用して、レイヤベースの復号化を受信した通信信号に適用する。ＵＥは、例えば、図１の１２０で示す集中処理システムに、受信した通信信号を復号化するのに成功したコードブックのリストを報告してもよい。これは、直接的又は間接的な測定チャネルを伴ってもよい。ＵＥは、通信信号が復号化可能であるレイヤを決定するために、前の送信時間間隔（ｔｒａｎｓｍｉｔ  ｔｉｍｅ  ｉｎｔｅｒｖａｌ，  ＴＴＩ）情報を使用し、例えば、復号化可能なレイヤのリストを集中処理システムに送信するために、測定チャネルを使用してもよい。復号化可能な通信信号は、ＵＥが位置３０４Ａにあるときにネットワークノード３０８ａ、３０８ｂ、３０８ｃに割り当てられたレイヤに関連するため、通信信号が復号化可能なレイヤに関する情報、又はどの候補レイヤ復号化パラメータが受信した通信信号を復号化するために使用されたかの他の情報は、ＵＥの現在の位置を決定するために使用されてもよい。より一般的には、ＵＥの位置は、コードブックのような、通信信号を成功して復号化するために使用できるレイヤ復号化パラメータと、復号化可能な信号に関連するレイヤが割り当てられたネットワークノードとに基づいて決定されてもよい。ＵＥは、例えば、その位置に依存して、異なるコードブックを使用して通信信号を成功して復号化できる。
【００５１】
３２０で表されるように、ＵＥが位置３０４Ｂに移動した後に、ＵＥは、ネットワークノード３０８ｂ、３０８ｃ、３０８ｄから通信信号を受信し、レイヤベースの復号化を受信信号に適用する。次に、ＵＥは、通信信号を成功して復号化するために、これらのネットワークノードに割り当てられたレイヤのためのコードブックを使用できる。位置３０４Ｂにおいてアクティブなレイヤ及びコードブックは、レイヤ３３２Ｂ、３３４Ｂ、３３６Ａを含む。これらのレイヤのうち２つ３３２Ｂ、３３４Ｂは、位置２０４Ａで受信した信号に関連するが、この例では、１つの異なるレイヤ３３６Ａが存在する。図２において異なるネットワークの間のレイヤの遷移は存在しない。ＵＥは、ＵＥの現在の位置における現在のネットワークノードのレイヤの関連付けを認識しなくてもよい。ＵＥは、位置３０４Ｂのときに、位置３０４Ａのときに使用した候補コードブックの同じセットを使用して、受信した通信信号を復号化することを依然として試みてもよい。位置３０４Ｂにおいて、位置３０４Ａにおいて受信したいずれかの通信信号を成功して受信するために使用できない候補コードブックが、ここで受信信号に対応し、受信した通信信号を復号化できる。
【００５２】
他の実施例では、候補復号化パラメータ、この例ではコードブックの異なるセットを識別する情報は、ＵＥがサービスエリアの間を移動したとネットワークノード又は集中処理システムが決定したときにＵＥに送信される。しかし、図２におけるＵＥのレイヤの割り当てのモビリティの例と同様に、ネットワークノードのアクティブなサブセットが位置３０４Ａにおける３０８ａ、３０８ｂ、３０８ｃから位置３０４Ｂにおける３０８ｂ、３０８ｃ、３０８ｄに変化したときに、図３において明示的なハンドオーバ処理が存在する必要はない。ＵＥは、サービスエリアの間を移動したときに、新たな候補復号化パラメータを識別する情報を受信してもよいが、新たな復号化パラメータが、異なるサービスエリア内の少なくとも１つの異なるネットワークノードを含むネットワークノードの異なるサブセットから生じたレイヤのためのものであることを依然として認識する必要はない。
【００５３】
さらに、３２２で表される、位置３０４Ｂから位置３０４ＣへのＵＥの更なる移動は同様に、ネットワークノードのアクティブなサブセットを３０８ｃ、３０８ｄ、３０８ｅに変更する。レイヤの２つ３２２Ｃ、３３６Ｂは位置３０４Ｂと同じであるが、ここで、レイヤ３３８のためのコードブックは、位置３０４ＣにおいてＵＥにより受信される通信信号を復号化できる。
【００５４】
ネットワークノードのレイヤの割り当ての実現方式におけるネットワークノードへのレイヤの割り当ては、例えば、ネットワークノード数及び割り当てに利用可能なコードブック数に依存して、半静的又は静的でもよい。レイヤはまた、或いはその代わりに、最初にネットワークノードに割り当てられてもよく、或いは、例えば負荷バランシング又はエネルギー節約のために、１つのネットワークノードから他のものに移動してもよい。一実施例では、新たな或いは更新されたコードブックの割り当ては、図１の１２０で示す集中処理システムによりネットワークノードに分配される。新たな或いは更新されたコードブック及びパイロット信号リストも同様にＵＥに分配されてもよい。
【００５５】
ネットワークノードのレイヤの割り当てシステムにおけるＵＥのスケジューリングは、各ネットワークノードにより処理されてもよく（分散型スケジューリング）、或いは図１の１２０で示す集中処理システムにより集中方式で処理されてもよい。スケジューラの判断は、無線リソースの許可の一部として送信されてもよく、或いは通信信号を復号化できるレイヤに基づいてＵＥによりブラインドで検出されてもよい。
【００５６】
レイヤ協調は、互いに協調するネットワークノードにより、或いは集中処理システムの制御又は指示で動的に最適化されてもよい。しかし、このように動的に最適化されたレイヤ協調は、バックホール及び同期により高い要件を課す可能性がある。レイヤ協調のための他の選択肢は、半静的に最適化されたレイヤ協調と、長期の協調及び設定と含み、これらは、より緩いバックホール及び同期の要件で実現され得る。ネットワークノードの間の異なるレベルの協調に対応するためのハイブリッド型協調は更なる選択肢である。
【００５７】
図４は、実施例による方法のフローチャートである。方法４００は、ＵＥにより実行される方法の例示である。
【００５８】
４０２において、ＵＥは、図２及び３を参照して前述したように、ネットワークノードのサブセットから通信信号を受信する。受信した通信信号のそれぞれは、複数のレイヤのそれぞれに関連する。
【００５９】
４０４において、候補レイヤ復号化パラメータが識別される。候補復号化パラメータのこの識別は、例えば、メモリ内の候補コードブックのリストにアクセスすることを伴ってもよい。このようなリスト、又はより一般的には、候補復号化パラメータを識別する情報は、ＵＥの現在の位置に基づいてネットワークノード又は集中処理システムにより生成され、ＵＥに分配されてもよい。候補復号化パラメータは、ＵＥにおいて利用可能な全ての復号化パラメータ、又はこれらの復号化パラメータのサブセットを含んでもよい。ＵＥが受信した通信信号のレイヤベースの復号化の際に使用する候補復号化パラメータを識別する情報は、復号化パラメータを含む必要はない。復号化パラメータは、ＵＥに別々に分配されてもよく、次に、復号化パラメータは、レイヤベースの復号化の際に使用するためにＵＥにおいて利用可能になる。
【００６０】
候補復号化パラメータは、ネットワークにおける全てのレイヤのためのコードブックのセット、又はネットワークの１つ以上のサービスエリア内でアクティブになり得るレイヤのための少なくともコードブックを含んでもよい。サービスエリア内でアクティブになり得るレイヤは、ネットワークノードのレイヤの割り当ての場合には、既にアクティブであるレイヤ、又はＵＥのレイヤの割り当て及びネットワークノードの間のレイヤの遷移の場合には、まだアクティブではないが、ＵＥが異なるサービスエリアに移動した後にその後にアクティブになり得るレイヤを含んでもよい。
【００６１】
４０６において、レイヤベースの復号化は、受信した通信信号に適用される。レイヤベースの復号化は、４０４において識別された候補レイヤ復号化パラメータを使用する。ＵＥは、候補復号化パラメータを使用して、受信した通信信号を復号化することを試みる。
【００６２】
符号ドメインのレイヤに関して図２に示す例を考慮する。位置２０４Ａにおいて、ＵＥは、受信した３つのレイヤ２３０Ａ、２３２Ａ、２３４Ａのためのコードブックを使用して、レイヤベースの復号化を適用する。図２に示すようなネットワークノードの間のレイヤの遷移によって、同じコードブックがまた、位置２０４Ｂにおいて、その位置においてＵＥにより受信される更なる通信信号にレイヤベースの復号化を適用するために使用される。したがって、コードブックは、レイヤが生じる特定のネットワークノードに拘わらず、位置２０４において現在の受信した通信信号が関連するレイヤのためのレイヤ復号化パラメータの例である。
【００６３】
同様に、図３に示すネットワークノードのレイヤの割り当ての例では、ＵＥは、位置３０４Ａにおいて受信した通信信号に関連する３つのレイヤ３３０、３３２Ａ、３３４Ａのためのコードブックを使用して、レイヤベースの復号化を適用する。前述のように、ＵＥのこの位置では、全てのレイヤが復号化可能であるとは限らない可能性がある。しかし、ＵＥは、依然としてその現在の候補コードブックリスト内のコードブックの全てを使用して復号化する（すなわち、レイヤベースの復号化を適用する）ことを試み、通信信号が復号化可能なレイヤを決定してもよい。候補コードブックのいくつかは機能してもよいが、他のものは機能しなくてもよい。レイヤ３３６Ａのためのコードブックは、ＵＥが位置３０４Ａにあるときに通信信号を成功して復号化するために使用できないが、ＵＥが位置３０４Ｂに移動したときに機能する。したがって、この例における候補コードブックは、位置３０４Ａにおいて現在の受信した通信信号が関連するレイヤのため、また、ＵＥが位置３０４Ｂに移動した後に、現在のサービスエリア外のレイヤのための復号化パラメータの１つの形式を表す。
【００６４】
方法４００は、新たな通信信号が受信されたときに繰り返されてもよい。ＵＥは、同じサービスエリアに留まっている間に新たな通信信号を受信し、前述のようにこれらの信号を復号化することを試みてもよい。その代わりに、ＵＥは、４０８に示すような異なるサービスエリアに遷移し、４０２において、ネットワークノードの異なるサブセットから通信信号を受信してもよい。ＵＥは、前のサービスエリアと同様に、４０４において、同じ候補レイヤ復号化パラメータの一部又は全部を識別し、４０６において、新たな受信した通信信号を復号化することを試みるために、これらの候補復号化パラメータを使用してもよい。候補レイヤ復号化パラメータの識別は、例えば、図１の１２０で示す集中処理システムからＵＥにより受信された情報に基づいてもよい。受信した情報は、１つのサービスエリア内でＵＥにより使用される第１の候補通信信号レイヤ復号化パラメータを識別する情報と、異なるサービスエリアに移動した後にＵＥにより使用される第２の候補通信信号レイヤ復号化パラメータを識別する情報とを含んでもよい。
【００６５】
候補復号化パラメータは、ＵＥがサービスエリアの間を移動したときに変化してもよいが、必ずしも変化する必要はない。例えば、ＵＥのレイヤの割り当てモードでは、ＵＥに割り当てられた通信信号レイヤは、異なるサービスエリア内で同じでもよく、したがって、４０４において同じ候補復号化パラメータがＵＥにより識別され、異なるサービスエリア内で使用されてもよい。ネットワークノードのレイヤの割り当てモードでは、ＵＥは、その現在のサービスエリア内でアクティブになり得るレイヤ及び隣接するサービスエリア内でアクティブになり得るレイヤのための復号化パラメータを識別する情報を提供されてもよい。このシナリオでは、ＵＥは、現在のサービスエリアに位置するときと、隣接するサービスエリアに移動した後とで、同じ候補復号化パラメータを使用してもよい。
【００６６】
ＵＥのレイヤの割り当ての場合、レイヤ復号化パラメータは、ＵＥに割り当てられたレイヤに関連する通信信号を復号化するためのものである。これらのパラメータは、ネットワークノードのどの特定のものが通信信号を送信したかとは独立である。ネットワークノードのレイヤの割り当ての場合では、復号化パラメータは、ネットワークノードに割り当てられたレイヤに関連する通信信号を復号化するためのものである。
【００６７】
例示的な方法４００は、一実施例の例示である。他の実施例は、異なる或いは更なる動作を含んでもよい。実行され得る更なる動作の例及び／又は例示の動作を実行する様々な方法は、明らかであってもよく、或いは明らかになり得る。
【００６８】
例えば、同じネットワークノード又は異なるネットワークノードからの異なるレイヤは、４０４において、ＳＩＣ、ＭＰＡ、ジョイント検出、ＭＬＤ及びＭＩＭＯ（線形又は非線形）デコーダ、又は復号化方法の組み合わせのような様々な復号化方法のいずれかを使用して復号化されてもよい。
【００６９】
いくつかの実施例では、ＵＥの位置は、通信信号が成功して復号化されたレイヤに少なくとも部分的に基づいてトラッキングされてもよい。このような実施例で実行され得る更なる動作の例は、通信信号を成功して復号化するために使用された候補復号化パラメータの指示をネットワークノードに送信することである。この動作は、例えば、図４の４０６の後に実行されてもよい。モビリティのシナリオでは、ＵＥは、第１の候補復号化パラメータのうちどれが第１の複数の受信した通信信号を復号化するために使用されたかの指示を、ネットワークノードの第１のサブセットのネットワークノードに送信してもよく、及び／又は第２の候補レイヤ復号化パラメータのうちどれがサービスエリアの遷移の後に受信した第２の複数の通信信号を復号化するために使用されたかの指示を、ネットワークノードの第２のサブセットのネットワークノードに送信してもよい。
【００７０】
例えば、ＵＥは、受信した通信信号を成功して復号化するために使用されたレイヤ復号化パラメータのセットにおける変化を検出し、変化を検出したことに応じて、どのレイヤ復号化パラメータが通信信号を復号化するために使用されたかの指示を送信してもよい。このような指示の送信はまた、或いはその代わりに、要求に基づくものでもよく、ＵＥは、集中処理システム又はネットワークノードからの要求に応じて指示を送信する。周期的或いはスケジューリングされた送信時間を含む他の選択肢も可能である。
【００７１】
前述の説明は、概してレイヤに関し、このようなレイヤに関連する通信信号に関する。レイヤの複数の階層が存在してもよい。復号化方法は、異なるデータレイヤを分離してもよく、ＵＥは、次に進む前に、まず１つのレイヤに関連する通信信号を成功して復号化する。その代わりに、階層化構造は、より高い階層において復号化を試みる前に、１つの階層におけるレイヤに関連する通信信号が復号化されるような構成での複数のレイヤを伴ってもよい。例えば、第１のレイヤは、比較的低い変調及び符号化方式（ｍｏｄｕｌａｔｉｏｎ  ａｎｄ  ｃｏｄｉｎｇ  ｓｃｈｅｍｅ，  ＭＣＳ）を有してもよく、第２のレイヤは、比較的高いＭＣＳを有してもよく、それにより、第１のレイヤは、第２のレイヤの知識なしに復号化でき、第２のレイヤを復号化する前に第１のレイヤを復号化することは有利である。双方の場合に、レイヤの複数の階層が存在してもよく、レイヤベースの復号化を第２の階層の通信信号に適用する前に、レイヤベースの復号化は、まず、第１の階層のレイヤに関連する１つ以上の通信信号を復号化するために適用される。階層化構造の特別な場合は、階層毎に１つのみのレイヤを含む。
【００７２】
図５は、実施例に従って前述の方法を実行し得るＵＥ５００を示すブロック図である。例示的なＵＥ５００は、アンテナ５０２と、アンテナに動作可能に結合された受信機５０４と、受信機に動作可能に結合されたデコーダ５０６とを含む。ここに開示の実施例は、通信信号を受信して復号化することに主に関するが、ＵＥは、送信機５０８及び送信機に動作可能に結合されたエンコーダ５１０のようなコンポーネントを含んでもよい。図示の例では、送信機５０８はまた、アンテナ５０２及びデコーダ５０６に動作可能に結合される。
【００７３】
図５には単一のアンテナ５０２が示されているが、ＵＥは、複数のアンテナを含んでもよい。別々の受信及び送信アンテナ又は複数のアンテナのセットが５０２において提供されてもよく、或いは同じアンテナ又は複数のアンテナのセットが通信信号を受信及び送信するために使用されてもよい。アンテナ５０２は、様々な種類のいずれかの１つ以上のアンテナを含んでもよい。５０２において提供されるアンテナの種類は、実現方式に特有でもよい。
【００７４】
一般的に、ハードウェア、ファームウェア、ソフトウェアを実行するコンポーネント又はこれらのいくつかの組み合わせは、受信機５０４、デコーダ５０６、送信機５０８及びエンコーダ５１０を実現する際に使用されてもよい。これらのコンポーネントのいずれか又は全部を実現するために適切になり得る電子デバイスは、とりわけ、マイクロプロセッサ、マイクロコントローラ、プログラム可能論理回路（Ｐｒｏｇｒａｍｍａｂｌｅ  Ｌｏｇｉｃ  Ｄｅｖｉｃｅ，  ＰＬＤ）、フィールドプログラマブルゲートアレイ（Ｆｉｅｌｄ  Ｐｒｏｇｒａｍｍａｂｌｅ  Ｇａｔｅ  Ａｒｒａｙ，  ＦＰＧＡ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，  ＡＳＩＣ）及び他の種類の「インテリジェントな」集積回路を含む。
【００７５】
ＵＥ５００の動作において使用され得るコードブックのようなソフトウェア及び／又は情報は、１つ以上の物理メモリデバイスに記憶されてもよい。ソリッドステートメモリデバイス及び／又は移動可能若しくは取り外し可能ですらある記憶媒体を有するメモリデバイスが実現されてもよい。メモリデバイスの例は前述に提供されている。メモリデバイスは、図５に示すコンポーネントの１つ以上の内部にあってもよく、したがって、図面には別々に示されていない。例示のコンポーネント又はこれらのコンポーネントを実現する１つ以上のプロセッサに動作可能に結合された外部メモリデバイスも可能である。
【００７６】
受信機５０４は、周波数ダウンコンバージョン及び復調のような動作を実行してもよく、送信機５０８は、周波数アップコンバージョン及び変調を含む逆の動作を実行してもよい。受信機５０４及び送信機５０８は、具体的な実現方式並びにサポートされる通信機能及びプロトコルの種類に依存して、これらの例示的な動作の代わりに或いはそれらに加えて、他の動作を実行してもよい。デコーダ５０６は、ここで説明したように、レイヤベースの復号化を受信した通信信号に適用し、エンコーダ５１０は、ＵＥがネットワークノードに送信する１つ又は複数のレイヤに関連して符号化を適用する。
【００７７】
受信機５０４は、通信ネットワークのサービスエリア内で通信サービスを提供する１つ以上のネットワークノードから通信信号を受信するように動作可能である。各通信信号は、それぞれのレイヤに関連する。デコーダ５０６は、例えば、図４を参照して前述したように、候補レイヤ復号化パラメータを使用して、レイヤベースの復号化を受信した通信信号に適用するように動作可能である。受信機５０４及びデコーダ５０６は、これら及び他の動作を実行するために、例えば、プロセッサベースの実施例においてソフトウェアを実行することにより設定可能でもよい。受信機５０４及び／又はデコーダ５０６が実行するように構成され得る他の動作の例は、前述の通りである。例えば、デコーダ５０６は、ＵＥ５００が信号をネットワークノードに送信することを可能にする送信機５０８を通じて、どの候補復号化パラメータが受信した通信信号を復号化するために使用されたかに関する指示を送信するように更に構成されてもよい。このような指示は、ＵＥ５００の位置をトラッキングするために、ネットワークノード及び／又は集中処理システムにより使用されてもよい。
【００７８】
図６は、他の実施例による方法のフローチャートである。方法６００は、ネットワーク装置により実行される方法の例示である。方法６００は集中型でもよく、例えば、図１の１２０で示す集中処理システムにおいて通信ネットワーク内で実行されてもよい。方法６００は、その代わりに、複数のネットワークノードにおいて分散型方式で実行されてもよく、複数のネットワークノードは、レイヤの割り当て及び自分の構成を決定するために互いに通信する。
【００７９】
６０２において、レイヤの割り当ては、例えば、図１の１２０で示す集中処理システムにより、或いはネットワークノードにより協調される。６０２における協調は、どのようにレイヤが割り当てられるべきかを決定することを伴う。レイヤは、前述のようにＵＥ又はネットワークノードに割り当てられてもよい。割り当てに利用可能なレイヤ数、ＵＥ数、ネットワーク内のネットワークノード数、負荷バランシング及びエネルギー節約のうち１つ以上のような要因は、レイヤの割り当てを協調する際に考慮されてもよい。レイヤの割り当てが決定された後に、６０４において、レイヤはＵＥ又はネットワークノードに割り当てられる。
【００８０】
６０６において、異なるレイヤに関連する通信信号を復号化するための復号化パラメータは、ＵＥに分配される。６０８において、ネットワークノードの第１のサブセット（図２のネットワークノード２０８ａ、２０８ｂ、２０８ｃ又は図３の３０８ａ、３０８ｂ、３０８ｃ等）は、復号化パラメータを使用することによりＵＥにより復号化可能な第１の通信信号を送信するように構成される。ネットワークノードの第２のサブセット（図２のネットワークノード２０８ｂ、２０８ｃ、２０８ｄ又は図３の３０８ｂ、３０８ｃ、３０８ｄ等）もまた、復号化パラメータを使用することによりＵＥにより復号化可能な第２の通信信号を送信するように構成される。ネットワークノードは、複数のレイヤに関連する通信信号を送信するように構成されてもよい。
【００８１】
例えば、ネットワークノードのレイヤの割り当ての実施例では、レイヤは、ネットワークノードに割り当てられる。第１のサブセット及び第２のサブセットのネットワークノードの構成は、６０４において同時に実行されてもよい。
【００８２】
しかし、第１及び第２のサブセットのネットワークノードは、必ずしも同時に構成される必要はない。レイヤがＵＥに割り当てられる実施例では、ＵＥの位置はトラッキングされてもよく、（ＵＥが第２のサービスエリアに移動した後に）第１のサブセット内のネットワークノードから特定のレイヤの役目を引き継ぐ第２のサブセット内の少なくともネットワークノードは、ＵＥが第２のサービスエリアに入るまで或いは少なくともその近くまで構成されなくてもよい。例えば、図２を参照すると、ネットワークノード２０８ａは、ＵＥが位置２０４Ａにあるときに、レイヤ２３０Ａに関連する通信信号を送信するように構成されてもよい。ＵＥが位置２０４Ｂに移動したときにネットワークノード２０８ａからこのレイヤの役目を引き継ぐネットワークノード２０８ｄは、位置２０４Ａにおける第１のサービスエリアから位置２０４Ｂにおける第２のサービスエリアへのＵＥの移動を検出したことに応じて、レイヤ２３０Ｂに関連する通信信号を送信するように構成されてもよい。
【００８３】
図６は、例示的な実施例を表す。他の実施例は、図６に示す順序と同様の或いは異なる順序で実行される更なる或いは異なる動作を含んでもよい。
【００８４】
例えば、方法は、ネットワークノードにより通信信号の送信をスケジューリングすることを伴ってもよい。このようなスケジューリングは、通信ネットワークにおいて集中処理システムにより実行されてもよく、ネットワークノードのそれぞれにおいて分散型方式で実行されてもよい。
【００８５】
方法はまた、或いはその代わりに、通信ネットワークにおけるＵＥの位置をトラッキングし、ＵＥの現在の位置に基づいて、ＵＥにより受信された通信信号を復号化する際にＵＥにより使用されるＵＥ候補復号化パラメータを決定し、候補復号化パラメータを識別する情報をＵＥに送信することを含んでもよい。位置トラッキングは、どの復号化パラメータがＵＥにより受信された通信信号を復号化するために使用されたかに関する指示をＵＥから受信し、指示に基づいて通信ネットワークにおけるＵＥの位置をトラッキングすることを伴ってもよい。いくつかの実施例では、他の情報もまた、或いはその代わりに、位置トラッキングに考慮される。
【００８６】
図７は、実施例による集中処理システムを示すブロック図である。例示的な集中処理システム７００は、協調インタフェース７０６に全て動作可能に結合された復号化パラメータ分配器７０２と、協調コントローラ７０４と、スケジューラ７０８とを含む。ハードウェア、ファームウェア、ソフトウェアを実行するコンポーネント又はこれらのいくつかの組み合わせは、少なくとも復号化パラメータ分配器７０２、協調コントローラ７０４及びスケジューラ７０８を実現する際に使用されてもよい。協調インタフェース７０６は、集中処理システム７００がネットワークノードと通信する通信媒体への１つ以上の物理ポート又はコネクタを含む。協調インタフェース７０６はまた、基地局との通信をサポートするために、ハードウェア、ソフトウェア及び／又はファームウェアに基づいてもよい通信回路を含む。協調インタフェース７０６の形式は、集中処理システム７００とネットワークノードとの間でサポートされる１つ又は複数の通信媒体及び／又はプロトコルに依存する。
【００８７】
復号化パラメータ分配器７０２は、図６を参照して前述したように、協調インタフェース７０６及び１つ以上のネットワークノードを通じて、復号化パラメータをＵＥに分配するように動作可能である。したがって、集中処理システム７００からＵＥへの分配は、協調インタフェース７０６と集中処理システム及びＵＥが通信するネットワークノードとを通じた間接的なものでもよい。
【００８８】
協調コントローラ７０４は、図６の６０４を参照して説明した方式で、ネットワークノードの第１のサブセット及びネットワークノードの第２のサブセットを構成するように動作可能である。ＵＥのレイヤの割り当てモデルでは、協調コントローラ７０４は、レイヤをＵＥに割り当て、レイヤに関連する通信信号を送信するように第１のサブセットのネットワークノードを構成するように更に構成されてもよい。協調コントローラ７０４はまた、第１のサービスエリアから第２のサービスエリアへのＵＥの移動を検出し、レイヤに関連する通信信号を送信するように第２のサブセットのネットワークノードを構成するように構成されてもよく、それにより、ＵＥのモビリティのためのネットワークノードの間のレイヤの遷移を提供する。
【００８９】
ネットワークノードのレイヤの割り当てを実現するために、協調コントローラ７０４は、レイヤをネットワークノードに割り当て、ネットワークノードに割り当てられたレイヤにそれぞれ関連する通信信号を送信するように第１のサブセット及び第２のサブセットのネットワークノードを構成するように構成されてもよい。
【００９０】
スケジューリングは、前述のように集中型でもよく、スケジューラ７０８は、ネットワークノードによる通信信号の送信をスケジューリングするように構成される。分散型スケジューリングの実施例では、スケジューラは、集中処理システムにおいて提供されなくてもよい。
【００９１】
ネットワークノードの間の協調及び／又はスケジューリングのいくつかの態様は、ネットワークノードにおいて実現されてもよい。図８は、実施例によるネットワークノードを示すブロック図である。例示的なネットワークノードは、図示のように一緒に動作可能に結合された協調コントローラ８０４と、エンコーダ８０６と、送信機８０８と、８１０における１つ以上のアンテナと、協調インタフェース８１２と、スケジューラ８１３と、デコーダ８１４と、受信機８１６とを含む。
【００９２】
ハードウェア、ファームウェア、ソフトウェアを実行するコンポーネント又はこれらのいくつかの組み合わせは、少なくとも協調コントローラ８０４、エンコーダ８０６、送信機８０８、スケジューラ８１３、デコーダ８１４及び受信機８１６を実現する際に使用されてもよい。８１０で示すアンテナは、別々の受信及び送信アンテナ又はアンテナのセットを含んでもよく、或いは同じアンテナ又はアンテナのセットが通信信号を受信及び送信するために使用されてもよい。様々な種類のいずれかの１つ以上のアンテナが８１０において提供されてもよく、アンテナの種類は、実現方式に特有でもよい。８１０におけるアンテナは、ネットワークノード８００とＵＥとの間の通信を可能にするために、ＵＥのアンテナ５０２（図５）と互換性がある。協調インタフェース８１２も同様に、協調インタフェース７０６と互換性があり、集中処理システムを含む実施例では、同様の方式で実現されてもよい。ネットワークノードはまた、或いはその代わりに、各ネットワークノードにおける互換性のある協調インタフェース８１２を通じて互いに通信してもよい。協調インタフェース８１２内の通信回路は、集中処理システム及び／又は他のネットワークノードとの通信をサポートするために、ハードウェア、ソフトウェア及び／又はファームウェアに基づいてもよい。協調インタフェース８１２の形式は、サポートされる１つ又は複数の通信媒体及び／又はプロトコルに依存する。
【００９３】
協調コントローラ８０４は、復号化パラメータをＵＥに分配する際及び／又はネットワークノード８００を構成する際に、集中処理システムにおける協調コントローラ７０４（図７）と協調してもよい。例えば、協調コントローラ８０４は、協調インタフェース７０６、８１２を通じて協調コントローラ７０４から復号化パラメータを受信し、これらのパラメータをＵＥに送信するように送信機８０８を制御してもよい。協調コントローラ８０４はまた、或いはその代わりに、協調コントローラ７０４から、ネットワークノード８００により使用されるコードブックのようなレイヤ情報を受信し、ネットワークノード８００が１つ以上の特定のレイヤに関連する通信信号を送信するようにエンコーダ８０６及び／又は送信機８０８を構成してもよい。ネットワークノードの間の協調は、その代わりに分散型でもよく、ネットワークノードにおける協調コントローラ８０４は、復号化パラメータの割り当て及び分配及び／又はネットワークノードの構成を協調するために、互いに通信するように構成される。
【００９４】
ネットワークノード８００はまた、スケジューラ８１３を有するが、ネットワークノードのスケジューリングの究極の制御は、集中型でもよい。スケジューラ８１３は、例えば、集中処理システムのスケジューラ７０８（図７）により制御されてもよい。ネットワークノードは、依然としてネットワークノードにおいてトラヒックをスケジューリングする役目をするが、スケジューリングは集中的に制御される。分散型スケジューリングシステムでは、各ネットワークノードにおけるスケジューラ８１３は、その代わりに自分のスケジューリングの役目をしてもよい。
【００９５】
記載しているものは、本開示の実施例の原理の適用の単なる例示である。他の構成及び方法は、当業者により実現できる。
【００９６】
図面の内容は、単に例示目的を意図するものであり、本発明は、図面に明示的に図示されてここで説明した特定の例示的な実施例に決して限定されない。例えば、図１〜３は、実施例が実現され得る通信ネットワークのブロック図である。他の実施例は、図示のものより多くのネットワークノードを含む通信ネットワーク、又は図示の例とは異なるトポロジを有するものにおいて実現されてもよい。同様に、図４及び６の例示的な方法、図５の例示的なＵＥ、図７の例示的な集中処理システム、及び図８の例示的なネットワークノードもまた、単に例示目的を意図するものである。
【００９７】
他の実現方式の詳細はまた、異なる実施例の間で変化してもよい。例えば、ここに開示されたＵＤＮにおけるレイヤベースの協調は、他の送信方式と共存してもよい。ＯＦＤＭ又は符号分割レイヤは、モバイルＵＥを標的とする必要があるだけでなく、「セル中心」の低モビリティのＵＥに割り当てられてもよい。
【００９８】
ここに開示されたレイヤに基づく協調は、集中処理システム、ネットワークノード及び／又はＵＥの間での様々な種類の情報の伝達を伴ってもよい。様々なシグナリング手法のいずれかが実現されてもよい。
【００９９】
ＵＥのレイヤの割り振りを考慮すると、プロトコルスタックにおけるより高いレベルでのシグナリングが、初期のシグニチャ／コードブックの割り当て及び／又は半静的又は動的なシステムでの更新に使用されてもよい。ＭＣＳシグナリングも同様に、動的又は半静的なＭＣＳ割り当て又は割り振りをサポートしてもよい。スケジューリングがブラインドではない実施例では、許可シグナリングは、例えば、ＬＴＥベースのシステムにおける物理下りリンク制御チャネル（Ｐｈｙｓｉｃａｌ  Ｄｏｗｎｌｉｎｋ  Ｃｏｎｔｒｏｌ  ＣＨａｎｎｅｌ，  ＰＤＣＣＨ）を使用してもよい。信号強度を報告するためのフィードバック及び／又はチャネル品質インジケータ（Ｃｈａｎｎｅｌ  Ｑｕａｌｉｔｙ  Ｉｎｄｉｃａｔｏｒ，  ＣＱＩ）は、リンク毎及び／又は時分割複信（Ｔｉｍｅ  Ｄｉｖｉｓｉｏｎ  Ｄｕｐｌｅｘ，  ＴＤＤ）に基づいて実現されてもよい。肯定応答／否定応答（Ａｃｋｎｏｗｌｅｄｇｅｍｅｎｔ／ｎｅｇａｔｉｖｅ  ａｃｋｎｏｗｌｅｄｇｅｍｅｎｔ，  ＡＣＫ／ＮＡＫ）シグナリングは、集約的なＡＣＫ又は個別のＡＣＫを使用してもよい。
【０１００】
ネットワークノードのコードブックの割り当てでは、より高いレベルのシグナリングが、可能なコードブックのリスト及び／又は他のレイヤに関する情報を分配するために使用されてもよい。ＵＥの報告のための測定チャネルは、直接的、間接的又はハイブリッド型でもよい。ＵＥのレイヤの割り当てについて前述したように、ネットワークノードのレイヤの割り当てシステムにおけるスケジューリングは、ブラインドで検出されてもよく、或いは例えば、許可シグナリングのためのＰＤＣＣＨを使用して、許可シグナリングに含まれてもよい。ＡＣＫ／ＮＡＫシグナリングは、ブラインドについてＡＣＫに基づいてもよく、或いはＰＤＣＣＨに基づく許可シグナリングについてのＡＣＫ／ＮＡＫでもよい。例えば、ＵＥが復号化可能なレイヤのリストを報告するための任意選択のフィードバックシグナリングは、ＴＤＤに基づいてもよく、ハイブリッド型でもよい。水平及び垂直符号化は、ＵＥのレイヤの割り当てシステムにおける選択肢であるが、垂直符号化は、ネットワークノードのレイヤの割り当てシステムにとって好ましい。
【０１０１】
実現方式の詳細のこれらの例示は、ここに開示されたレイヤベースのマルチポイント送信と共に実現されてもよい。
【０１０２】
本開示は、通信信号のＵＥの受信及び復号化に主に焦点を当てている。しかし、ＵＥもまた通信信号をネットワークノードに送信してもよいことが認識されるべきでる。ＵＥにより送信された通信信号は、同様にＵＥ又はＵＥが送信しているネットワークノードに割り当てられたレイヤに関連する。例えば、ネットワークノードにおける受信機８１６（図８）は、ＵＥから信号を受信してもよい。ＵＥから受信した信号は、どの復号化パラメータがＵＥにより受信された通信信号を復号化するために使用されたかに関する指示を含んでもよい。受信した指示は、ネットワークノードにおける協調コントローラ８０４、協調インタフェース８１２を通じた１つ以上の他のネットワークノードにおける協調コントローラ、及び／又は協調インタフェース８１２、７０６を通じた集中処理システムにおける協調コントローラ７０４（図７）に提供されてもよい。次に、これらの協調コントローラのいずれか又は全部は、指示に基づいて通信ネットワークにおけるＵＥの位置をトラッキングしてもよい。
【０１０３】
異なるレイヤは、ネットワークノードの間の異なるレベルの協調を伴ってもよい。例えば、ＵＥのレイヤの割り当ての実施例においてＵＥにサービス提供する３つのネットワークノードが存在し、ネットワークノードの２つのみが比較的高速のバックホール接続を通じて接続され、第３のネットワークノードがより低速のバックホール接続を通じて接続されることを仮定する。より高速のバックホール接続を有するネットワークノードは、ＵＥのレイヤを２つのネットワークノードに動的に割り振るジョイントスケジューラを使用してもよい。しかし、２つのネットワークノードと第３のネットワークノードとの間のいずれかのバックホール交換はより遅く、静的又は半静的な協調及び／又はレイヤ割り当てが、第３のネットワークノードにとってより適切になる。
【０１０４】
ここに開示の実施例では、サービスは、ＵＥとの移動であると考えられてもよい。ネットワークノードの間の協調は簡略化されてもよく、ＵＥがネットワークの異なるカバレッジエリアを移動するときにＵＥにシームレスなサービスを提供してもよい。
【０１０５】
実施例はまた、マルチレイヤの協調を提供する。マルチサイトダイバーシチは、チャネル安定性を改善し、通信チャネルをモビリティにより引き起こされるチャネルエイジングを受けにくくし得る。
【０１０６】
本発明はまた、以下の例を参照して理解できる。
【０１０７】
一例では、方法は、通信ネットワークにおける通信信号レイヤに関連する通信信号のための復号化パラメータを使用してユーザ装置（ｕｓｅｒ  ｅｑｕｉｐｍｅｎｔ，  ＵＥ）により復号化可能な第１の通信信号を送信するように、通信ネットワークにおけるネットワークノードの第１のサブセットを構成するステップであり、第１の通信信号のそれぞれは、複数の通信信号レイヤのそれぞれに関連するステップと、復号化パラメータを使用してＵＥにより復号化可能な第２の通信信号を送信するように、通信ネットワークにおけるネットワークノードの第２のサブセットを構成するステップであり、ネットワークノードの第２のサブセットは、ネットワークノードの第１のサブセットにない少なくとも１つのネットワークノードを含み、第２の通信信号のそれぞれは、複数の通信信号レイヤのそれぞれに関連するステップとを含む。
【０１０８】
前述の例に従って、方法は、符号化パラメータをＵＥに分配するステップを更に含む。
【０１０９】
前述の例のいずれかに従って、方法は、複数の通信信号レイヤのうち或る通信信号レイヤをＵＥに割り当てるステップと、通信ネットワークにおけるＵＥの位置をトラッキングするステップとを更に含む。ネットワークノードの第１のサブセットを構成するステップは、ネットワークノードの第１のサブセットが通信サービスを提供する第１のサービスエリアにＵＥが位置するときに、通信信号レイヤに関連する通信信号を送信するように、ネットワークノードの第１のサブセットのネットワークノードを構成するステップを含む。ネットワークノードの第２のサブセットを構成するステップは、第１のサービスエリアから、ネットワークノードの第２のサブセットが通信サービスを提供する第２のサービスエリアにＵＥが移動したときに、通信信号レイヤに関連する通信信号を送信するように、ネットワークノードの第２のサブセットのネットワークノードを構成するステップを含む。
【０１１０】
前述の例のいずれかに従って、方法は、複数の通信信号レイヤをネットワークノードに割り当てるステップを更に含む。ネットワークノードの第１のサブセットを構成するステップ及びネットワークノードの第２のサブセットを構成するステップは、ネットワークノードに割り当てられた通信信号レイヤにそれぞれ関連する通信信号を送信するように、ネットワークノードの第１のサブセット及びネットワークノードの第２のサブセットのネットワークノードを構成するステップを含む。
【０１１１】
前述の例のいずれかに従って、方法は、通信ネットワークにおけるＵＥの位置をトラッキングするステップと、ＵＥの現在の位置に基づいて、ＵＥにより受信された通信信号を復号化する際にＵＥにより使用されるための、ＵＥに分配される復号化パラメータの候補復号化パラメータを決定するステップと、候補復号化パラメータを識別する情報をＵＥに送信するステップとを更に含む。
【０１１２】
前述の例のいずれかに従って、方法は、通信ネットワークにおける集中処理システムにより実行される。
【０１１３】
前述の例のいずれかに従って、方法は、ネットワークノードの第１のサブセット及びネットワークノードの第２のサブセットのネットワークノードのそれぞれにおいて実行される。構成するステップは、ネットワークノードが構成を協調するために互いに通信するステップを含む。
【０１１４】
前述の例のいずれかに従って、方法は、ネットワークノードの第１のサブセット及びネットワークノードの第２のサブセットにより通信信号の送信をスケジューリングするステップを更に含む。
【０１１５】
前述の例のいずれかに従って、スケジューリングするステップは、通信ネットワークにおける集中処理システムにより実行される。
【０１１６】
前述の例のいずれかに従って、スケジューリングするステップは、ネットワークノードの第１のサブセット及びネットワークノードの第２のサブセットのネットワークノードのそれぞれにおいて実行される。
【０１１７】
前述の例のいずれかに従って、ネットワークノードの第１のサブセットを構成するステップ又はネットワークノードの第２のサブセットを構成するステップは、通信信号レイヤの異なるものに関連する複数の通信信号を送信するように、ネットワークノードの第１のサブセット又はネットワークノードの第２のサブセットのネットワークノードのうち１つを構成するステップを含む。
【０１１８】
前述の例のいずれかに従って、方法は、復号化パラメータのうちどれがＵＥにより受信された通信信号を復号化するために使用されたかの指示をＵＥから受信するステップと、指示に基づいて通信ネットワークにおけるＵＥの位置をトラッキングするステップとを更に含む。
【０１１９】
更なる例に従って、非一時的なプロセッサ読み取り可能媒体は、１つ以上のプロセッサにより実行されたときに、プロセッサに対して、通信ネットワークにおける通信信号レイヤに関連する通信信号のための復号化パラメータを使用してユーザ装置（ｕｓｅｒ  ｅｑｕｉｐｍｅｎｔ，  ＵＥ）により復号化可能な第１の通信信号を送信するように、通信ネットワークにおけるネットワークノードの第１のサブセットを構成するステップであり、第１の通信信号のそれぞれは、複数の通信信号レイヤのそれぞれに関連するステップと、復号化パラメータを使用してＵＥにより復号化可能な第２の通信信号を送信するように、通信ネットワークにおけるネットワークノードの第２のサブセットを構成するステップであり、ネットワークノードの第２のサブセットは、ネットワークノードの第１のサブセットにない少なくとも１つのネットワークノードを含み、第２の通信信号のそれぞれは、複数の通信信号レイヤのそれぞれに関連するステップとを含む方法を実行させる命令を記憶する。
【０１２０】
更なる例に従って、装置は、通信ネットワークにおける通信信号レイヤに関連する通信信号のための復号化パラメータを使用してユーザ装置（ｕｓｅｒ  ｅｑｕｉｐｍｅｎｔ，  ＵＥ）により復号化可能な第１の通信信号を送信するように、通信ネットワークにおけるネットワークノードの第１のサブセットを構成し、第１の通信信号のそれぞれは、複数の通信信号レイヤのそれぞれに関連し、復号化パラメータを使用してＵＥにより復号化可能な第２の通信信号を送信するように、通信ネットワークにおけるネットワークノードの第２のサブセットを構成し、ネットワークノードの第２のサブセットは、ネットワークノードの第１のサブセットにない少なくとも１つのネットワークノードを含み、第２の通信信号のそれぞれは、複数の通信信号レイヤのそれぞれに関連する協調コントローラと、協調コントローラに結合されており、ネットワークノードと通信する協調インタフェースとを含む。
【０１２１】
前述の例のいずれかに従って、装置は、符号化パラメータをＵＥに分配する復号化パラメータ分配器を更に含む。
【０１２２】
前述の例のいずれかに従って、協調コントローラは、複数の通信信号レイヤのうち或る通信信号レイヤをＵＥに割り当て、ネットワークノードの第１のサブセットが通信サービスを提供する第１のサービスエリアにＵＥが位置するときに、通信信号レイヤに関連する通信信号を送信するように、ネットワークノードの第１のサブセットのネットワークノードを構成し、第１のサービスエリアから、ネットワークノードの第２のサブセットが通信サービスを提供する第２のサービスエリアにＵＥが移動したときに、通信信号レイヤに関連する通信信号を送信するように、ネットワークノードの第２のサブセットのネットワークノードを構成するように更に構成される。
【０１２３】
前述の例のいずれかに従って、協調コントローラは、複数の通信信号レイヤをネットワークノードに割り当て、ネットワークノードに割り当てられた通信信号レイヤにそれぞれ関連する通信信号を送信するように、ネットワークノードの第１のサブセット及びネットワークノードの第２のサブセットのネットワークノードを構成するように更に構成される。
【０１２４】
前述の例のいずれかに従って、協調コントローラは、通信ネットワークにおけるＵＥの位置をトラッキングし、ＵＥの現在の位置に基づいて、ＵＥにより受信された通信信号を復号化する際にＵＥにより使用されるための、ＵＥに分配される復号化パラメータの候補復号化パラメータを決定し、候補復号化パラメータを識別する情報をＵＥに送信するように更に構成される。
【０１２５】
前述の例のいずれかに従って、装置は、通信ネットワークにおける集中処理システムにおいて実現される。
【０１２６】
前述の例のいずれかに従って、装置は、ネットワークノードの第１のサブセット及びネットワークノードの第２のサブセットのネットワークノードのそれぞれにおいて実現される協調コントローラを含み、協調コントローラは、ネットワークノードの構成を協調するために互いに通信するように構成される。
【０１２７】
前述の例のいずれかに従って、装置は、ネットワークノードの第１のサブセット及びネットワークノードの第２のサブセットにより通信信号の送信をスケジューリングするスケジューラを更に含む。
【０１２８】
前述の例のいずれかに従って、装置は、通信ネットワークにおける集中処理システムにおいて実現される。
【０１２９】
前述の例のいずれかに従って、装置は、ネットワークノードの第１のサブセット及びネットワークノードの第２のサブセットのネットワークノードのそれぞれにおけるスケジューラを含む。
【０１３０】
前述の例のいずれかに従って、協調コントローラは、通信信号レイヤの異なるものに関連する複数の通信信号を送信するように、ネットワークノードの第１のサブセット又はネットワークノードの第２のサブセットのネットワークノードのうち１つを構成するように構成される。
【０１３１】
前述の例のいずれかに従って、装置は、ＵＥから信号を受信する受信機を更に含む。協調コントローラは、受信機に結合され、復号化パラメータのうちどれがＵＥにより受信された通信信号を復号化するために使用されたかの指示をＵＥから受信し、指示に基づいて通信ネットワークにおけるＵＥの位置をトラッキングするように更に構成される。
【０１３２】
さらに、方法及びシステムに関して主に説明したが、例えば、非一時的なプロセッサ読み取り可能媒体に記憶された命令のように、他の実現方式も考えられる。
【図１】
0006739534.tif 000002
【図２】
0006739534.tif 000003
【図３】
0006739534.tif 000004
【図４】
0006739534.tif 000005
【図５】
0006739534.tif 000006
【図６】
0006739534.tif 000007
【図７】
0006739534.tif 000008
【図８】
0006739534.tif 000009